(57)【要約】  【課題】  香料の配合量を増加させることなく残香性を向上させ、且つ香料の変調を抑制して、香調を長期間維持しつつ、処理布に高い残香を付与することができる柔軟剤組成物の提供。  【解決手段】  （ａ）エステル基、アミド基又はエーテル基で分断されていても良い総炭素数１４〜２６の炭化水素基を少なくとも一つ有する３級アミン又はその酸塩もしくはその４級化物、（ｂ）シリコーン化合物、（ｃ）酸化防止剤及び（ｄ）香料を含有し、組成物中の（ａ）成分の含有量が１０〜３０質量％、（ｃ）成分と（ｄ）成分の質量比率が（ｃ）成分／（ｄ）成分＝１／１０００〜１／４である柔軟剤組成物。【選択図】  なし【特許請求の範囲】
【請求項１】
下記（ａ）成分、（ｂ）成分、（ｃ）成分及び（ｄ）成分を含有し、組成物中の（ａ）成分の含有量が１０〜３０質量％、（ｃ）成分と（ｄ）成分の質量比率が（ｃ）成分／（ｄ）成分＝１／１０００〜１／４である柔軟剤組成物。
（ａ）成分：エステル基、アミド基又はエーテル基で分断されていても良い総炭素数１４〜２６の炭化水素基を少なくとも一つ有する３級アミン又はその酸塩もしくはその４級化物
（ｂ）成分：シリコーン化合物
（ｃ）成分：酸化防止剤
（ｄ）成分：香料
【請求項２】
組成物中の（ｄ）成分の含有量が０．０１〜１０質量％である請求項１記載の柔軟剤組成物。
【請求項３】
（ｂ）成分の２５℃における動粘度が、１０，０００〜１０，０００，０００ｍｍ2／ｓである請求項１又は２記載の柔軟剤組成物。
【請求項４】
（ｃ）成分が、ブチル化ヒドロキシトルエン（ＢＨＴ）、ブチル化ヒドロキシアニソール（ＢＨＡ）、α−トコフェロール、γ−トコフェロール及びδ−トコフェロールから選ばれる少なくとも１種である請求項１〜３いずれかに記載の柔軟剤組成物。
【請求項５】
（ｂ）成分がジメチルポリシロキサンである請求項１〜４いずれかに記載の柔軟剤組成物。
【発明の詳細な説明】
【技術分野】
【０００１】
本発明は柔軟剤組成物に関する。
【背景技術】
【０００２】
一般に柔軟剤には商品価値を高めるため、香料が配合されている。特に近年、香りを商品特徴としたものが増えており、差別化のために様々な香りの商品が開発されている。一方、通常柔軟剤処理した衣料への残香を強くするためには、香料の総配合量を増加したり、持続性の香料成分を増量させたりする技術（特許文献１、特許文献２）がある。しかし香料の配合量の増加はコスト的に課題となり、また持続性香料成分を増量させても、香料組成のバランスが悪化し、結果として嗜好性のよい香調が得られない場合がある。更に持続性香料成分でも、アルデヒド系香料など、光や酸などによって変性を受けやすい香料は、保存中に香りが変調してしまい、結果として目的とする残香性が得られない場合もある。
【特許文献１】特表平１０−５０７７９３号公報
【特許文献２】特表平１１−５０４９９４号公報
【発明の開示】
【発明が解決しようとする課題】
【０００３】
本発明の課題は、香料の配合量を増加させることなく残香性を向上させ、且つ香料の変調を抑制して、香調を長期間維持しつつ、処理布に高い残香を付与することができる柔軟剤組成物を提供することにある。
【課題を解決するための手段】
【０００４】
本発明者らは、酸化防止剤と香料を特定比率で配合し、更にシリコーン化合物と特定のカチオン活性剤を併用することで上記課題を解決できることを見出した。
【０００５】
即ち、本発明は、下記（ａ）成分、（ｂ）成分、（ｃ）成分及び（ｄ）成分を含有し、組成物中の（ａ）成分の含有量が１０〜３０質量％、（ｃ）成分と（ｄ）成分の質量比率が（ｃ）成分／（ｄ）成分＝１／１０００〜１／４である柔軟剤組成物を提供する。
（ａ）成分：エステル基、アミド基又はエーテル基で分断されていても良い総炭素数１４〜２６の炭化水素基を少なくとも一つ有する３級アミン又はその酸塩もしくはその４級化物
（ｂ）成分：シリコーン化合物
（ｃ）成分：酸化防止剤
（ｄ）成分：香料
【発明の効果】
【０００６】
本発明の柔軟剤組成物は、香料の配合量を増加させることなく残香性を向上させ、且つ香料の変調を抑制して、香調を長期間維持しつつ、処理布に高い残香を付与することができる。
【発明を実施するための最良の形態】
【０００７】
［（ａ）成分］
本発明の（ａ）成分は、エステル基、アミド基又はエーテル基で分断されていても良い総炭素数１４〜２６の炭化水素基を少なくとも一つ有する３級アミン又はその酸塩もしくはその４級化物であり、エステル基、アミド基又はエーテル基で分断されていても良い総炭素数１４〜２６の炭化水素基を１〜３個と残りが炭素数１〜３のアルキル基又はヒドロキシアルキル基である３級アミン又はその酸塩もしくはその４級化物が好適である。
【０００８】
（ａ）成分は、下記一般式（１）又は（２）で表される化合物から選ばれることが好ましく、一般式（２）で表される化合物がより好ましい。
【０００９】
【化１】
2010037690.tif 000002
【００１０】
〔式中、Ｒ1aは、エステル基、アミド基又はエーテル基で分断されていても良い総炭素数１４〜２６のアルキル基もしくはアルケニル基であり、Ｒ1bは、エステル基、アミド基又はエーテル基で分断されていても良い総炭素数１４〜２６のアルキル基もしくはアルケニル基であるか、又は炭素数１〜３のアルキル基もしくはヒドロキシアルキル基である。Ｒ1cは、炭素数１〜３のアルキル基もしくはヒドロキシアルキル基であり、Ｒ1dは、水素原子、炭素数１〜３のアルキル基もしくはヒドロキシアルキル基である。Ｘ-は陰イオン基を示す。〕
（ａ）成分としては、更に下記一般式（３）又は（４）で表される化合物が好ましく、一般式（４）で表される化合物がより好ましい。
【００１１】
【化２】
2010037690.tif 000003
【００１２】
〔式中、Ｒ2aは、炭素数１４〜２４、好ましくは１６〜２０のアルキル基又はアルケニル基であり、Ｒ2bは、炭素数１〜３のアルキル基もしくはヒドロキシアルキル基であるか、又はＲ2f−［Ｂ−Ｒ2g］b−で示される基である。Ｒ2cは、炭素数１〜３のアルキル基もしくはヒドロキシアルキル基であり、Ｒ2dは、水素原子、炭素数１〜３のアルキル基もしくはヒドロキシアルキル基である。Ｒ2fは、炭素数１４〜２４のアルキル基又はアルケニル基である。Ｒ2e及びＲ2gは、それぞれ独立に炭素数１〜６のアルキレン基である。Ａ及びＢは、それぞれ独立に−ＣＯＯ−、−ＯＣＯ−、−ＣＯＮＨ−及び−ＮＨＣＯ−から選ばれる基であり、ａ及びｂは、それぞれ独立に０又は１の数である。Ｘ-は、陰イオン基を示す。〕
一般式（３）又は（４）で表される化合物において、Ｒ2aは、炭素数１６〜２０のアルキル基又はアルケニル基が好ましく、Ｒ2bは、Ｒ2f−［Ｂ−Ｒ2g］b−で示される基が好ましく、Ｒ2fは、炭素数１６〜２０のアルキル基又はアルケニル基が好ましい。Ｒ2cは、メチル基又はヒドロキシエチル基が好ましく、Ｒ2dは、水素原子、メチル基又はヒドロキシエチル基が好ましく、Ｒ2e及びＲ2gは、それぞれ独立にエチレン基又はプロピレン基が好ましい。Ａ及びＢは、それぞれ独立に−ＣＯＯ−又は−ＣＯＮＨ−が好適であり、ａ及びｂは、少なくとも一方が１の数、好ましくは両方が１の数であることが好ましい。Ｘ-は、ハロゲンイオン、炭素数１〜３のアルキル硫酸エステルイオン、又は炭素数１〜１８の脂肪酸イオンが好適である。
【００１３】
［（ｂ）成分］
本発明の（ｂ）成分はシリコーン化合物である。シリコーン化合物は、繊維製品に吸着した時に、柔軟性、滑らかさを付与することが可能であれば特に限定されない。一般的に繊維処理に使用されているシリコーン化合物としては、ジメチルポリシロキサン、ポリエーテル変性シリコーン、メチルフェニルシリコーン、アルキル変性シリコーン、高級脂肪酸変性シリコーン、メチルハイドロジェンシリコーン、フッ素変性シリコーン、エポキシ変性シリコーン、カルボキシ変性シリコーン、ポリグリセロール変性シリコーン、カルビノール変性シリコーン、及びアミノ変性シリコーンなどが挙げられ、これらの１種を単独で又は２種以上の混合物として使用することができる。このシリコーン化合物の分子構造は、直鎖状であっても分岐や架橋していてもよい。変性シリコーン化合物は１種類の有機官能基により変性されていても構わないし、２種以上の有機官能基により変性されていてもよい。これらのシリコーン化合物の中では、柔軟性付与の観点から、ジメチルポリシロキサンが好ましい。
【００１４】
また、（ｂ）成分としては、キシミ感が少なく良好な柔軟性と滑らかさを処理布に付与する観点から、２５℃における動粘度が、１０，０００〜１０，０００，０００ｍｍ2／ｓのものが好ましく、１００，０００〜６，０００，０００ｍｍ2／ｓのものがより好ましい。尚、（ｂ）成分の動粘度は分子量を変化させることによって調整することができる。
【００１５】
シリコーン化合物はオイル状のものをそのまま使用しても、また任意の乳化剤によって分散されたエマルジョンとして使用してもよい。乳化剤としては非イオン界面活性剤が好ましく、ポリオキシアルキレン（アルキレン基の炭素数２〜３、オキシアルキレン基の平均付加モル数１〜１２０）アルキル（アルキル基の炭素数１０〜１６）エーテルがより好ましい。エマルジョンは、安定性を向上させる観点から陰イオン界面活性剤を含有することが好ましい。陰イオン界面活性剤としては、アルキル（アルキル基の炭素数１０〜１６）硫酸塩、アルキル（アルキル基の炭素数１０〜１６）ベンゼンスルホン酸塩等が挙げられる。また、エマルジョンの粒径は、柔軟性、残香性を高める観点から、０．０１〜１０μｍが好ましく、０．１〜５μｍがより好ましく、０．２〜３μｍが更に好ましい。尚、エマルジョンの粒径は、界面活性剤の種類や添加率によって調整することができる。
【００１６】
［（ｃ）成分］
本発明の（ｃ）成分は酸化防止剤である。本発明の酸化防止剤は、一般に酸化防止効果が知られている化合物であれば、特に限定されるものではない。具体的には、ブチル化ヒドロキシトルエン（ＢＨＴ）、ブチル化ヒドロキシアニソール（ＢＨＡ）、β−ナフトール、フェニル−α−ナフチルアミン、テトラメチルジアミノジフェニルメタン、ビタミンＥ（α−トコフェロール、β−トコフェロール、γ−トコフェロール、δ−トコフェロール）、ビタミンＣ（Ｌ−アスコルビン酸）、クェルセチン等が挙げられる。これらの中では、特に、ブチル化ヒドロキシトルエン（ＢＨＴ）、ブチル化ヒドロキシアニソール（ＢＨＡ）、α−トコフェロール、γ−トコフェロール、δ−トコフェロールが好ましい。
【００１７】
［（ｄ）成分］
本発明の（ｄ）成分は香料である。香料については特に限定されないが、香料成分として具体的には、炭化水素系香料、アルコール系香料、エーテル系香料、アルデヒド系香料、ケトン系香料、エステル系香料、ラクトン系香料、環状ケトン系香料、二トリル系香料、環状エーテル系香料、アミン系香料等の香料成分を挙げることができる。
【００１８】
炭化水素系香料成分としては、α−ピネン、β−ピネン、カンフェン、リモネン、ターピネオール、ターピノレン、γ−ターピネン、オレンジペラ等が挙げられる。
【００１９】
アルコール系香料としては、トランス−２−ヘキセノール、シス−３−ヘキセノール、３−オクタノール、リナロール、ゲラニオール、β−フェニルエチルアルコール、ネロール、シトロネロール、ロジノール、ミルセノール、ラバンジュロール、テトラヒドロリナロール、ターピネオール、ｌ−メントール、ボルネオール、イソプレゴール、ノポール、ｐ−ｔ−ブチルシクロヘキサノール、ｏ−ｔ−ブチルシクロヘキサノール、アンブリノール、ベンジルアルコール、フェニルエチルアルコール、フェノキシエタノール、ジメチルベンジルカルビノール、オイゲノール、ポリサントール、フェニルヘキサノール、ジヒドロミルセノール等が挙げられる。
【００２０】
エーテル系香料成分としては、ネロールオキサイド、１，８−シネオール、ローズオキサイド、リメトールメントフラン、リナロールオキサイド、ブチルジメチルジヒドロピラン、セドリルメチルエーテル、メトキシシクロドデカン、１−メチル−１−メトキシシクロドデカン、アニソール、アセトアニソール、アネトール、ジヒドロアネトール、メチルオイゲノール、フェニルエチルイソアミルエーテル、β−ナフチルメチルエーテル、β−ナフチルエチルエーテル等が挙げられる。
【００２１】
アルデヒド系香料成分としては、ヘキシルアルデヒド、トリプラール、ノニルアルデヒド、アルデヒド  Ｃ−１０（デシルアルデヒド）、ウンデシルアルデヒド、ドデシルアルデヒド、トリデシルアルデヒド、２，６−ノナジエナール、シス−４−デセナール、ウンデシレンアルデヒド、シトラール、シトロネラール、ヒドロキシシトロネラール、センテナール、ボロナール、セトナール、サリチルアルデヒド、ミラックアルデヒド、リラール、ベルンアルデヒド、ベンズアルデヒド、フェニルアセトアルデヒド、シンナミックアルデヒド、ヘキシルシンナミックアルデヒド、アニスアルデヒド、ｐ−エチル−２，２−ジメチルヒドロシンナムアルデヒド、ヘリオトロピン、ヘリオナール、バニリン、エチルバニリン、メチルバニリン、マイラックアルデヒド、アミルシンナミックアルデヒド、シクラメンアルデヒド、リリアール等が挙げられる。
【００２２】
ケトン系香料成分としては、アセトイン、ジアセチル、メチルアミルケトン、エチルアミルケトン、メチルヘキシルケトン、メチルノニルケトン、α−イオノン、β−イオノン、メチルイオノン、α−イロン、α−ダマスコン、ジヒドロジャスモン、シス−ジャスモン、アセトフェノン、ｐ−メチルアセトフェノン、ベンジルアセトン、カローン、ラズベリーケトン、アニシルアセトン、メチルナフチルケトン、ベンゾフェノン等が挙げられる。
【００２３】
エステル系香料成分としては、ベンジルアセテート、ギ酸エチル、ギ酸リナリル、ギ酸シトロネリル、ギ酸ゲラニル、酢酸エチル、酢酸ブチル、酢酸イソアミル、酢酸ゲラニル、酢酸リナリル、酢酸ベンジル、酢酸フェニルエチル、酢酸スチラリル、酢酸シンナミル、酢酸アニシル、プロピオン酸ゲラニル、プロピオン酸リナリル、酪酸エチル、吉草酸プロピル、イソ吉草酸シトロネリル、イソ吉草酸ゲラニル、桂皮酸エチル、桂皮酸ベンジル、桂皮酸シンナミル、ジャスモン酸メチル、ジヒドロジャスモン酸メチル、フルテート、シクロヘキシルサリチレート等が挙げられる。
【００２４】
二トリル系香料成分、環状エーテル系香料成分、アミン系香料成分、ラクトン系香料成分、環状ケトン系香料成分、その他香料成分としては、シトロネリルニトリル、アンブロキサン、ルボフィックス、メチルアンスラニレイト、γ−オクタラクトン、γ−ノナラクトン、γ−デカラクトン、γ−ウンデカラクトン、δ−デカラクトン、クマリン、ジャスモノラクトン、ジャスミンラクトン、ムスコン、シベトン、シクロペンタデカノン、パーライド、アンバーコア、メチルジヒドロジャスモネート等が挙げられる。
【００２５】
なお、上記香料成分の名称は「香料と調香の実際知識」（中島  基貴著、産業図書（株）、１９９５年６月２１日発行）の記載に従った。
【００２６】
これらの香料成分の中では、柔軟処理布の残香性を向上させる観点から、ノニルアルデヒド、デシルアルデヒド、ウンデシルアルデヒド、ドデシルアルデヒド、２，６−ノナジエナール、ウンデシレンアルデヒド、シトラール、シトロネラール、ミラックアルデヒド、リラール、ベルンアルデヒド、ベンズアルデヒド、フェニルアセトアルデヒド、シンナミックアルデヒド、ヘキシルシンナミックアルデヒド、アニスアルデヒド、ｐ−エチル−２，２−ジメチルヒドロシンナムアルデヒド、ヘリオトロピン、ヘリオナール、バニリン、エチルバニリン、マイラックアルデヒド、アミルシンナミックアルデヒド、シクラメンアルデヒド、リリアールなどのアルデヒド系香料成分が好ましく、これらのアルデヒド系香料成分を、（ｄ）成分中に０．５〜５０質量％、更に１〜４５質量％、特に２〜４０質量％含有していることが好ましい。
【００２７】
［柔軟剤組成物］
本発明の柔軟剤組成物は、上記（ａ）成分、（ｂ）成分、（ｃ）成分及び（ｄ）成分を含有する。本発明の組成物中の（ａ）成分の含有量は、柔軟性付与の観点から、１０〜３０質量％であり、１０〜２５質量％が好ましく、１２〜２０質量％が更に好ましい。
【００２８】
本発明の組成物中の（ｂ）成分の含有量は、柔軟性付与の観点から、０．３〜１０質量％が好ましく、０．５〜８質量％がより好ましく、０．７〜５質量％が更に好ましい。
【００２９】
本発明の組成物中の（ｃ）成分の含有量は、（ｄ）成分である香料成分の安定性の観点から、０．００１〜２．５質量％が好ましく、０．００５〜１質量％がより好ましく、０．０１〜０．５質量％が更に好ましい。
【００３０】
本発明の組成物中の（ｄ）成分の含有量は、０．０１〜１０質量％が好ましく、０．１〜５質量％がより好ましく、０．２〜３質量％が更に好ましい。又、（ｃ）成分と（ｄ）成分の質量比率は、残香性を向上させ、また香料の変調を抑制する観点から、（ｃ）成分／（ｄ）成分＝１／１０００〜１／４であり、１／５００〜１／４が好ましく、１／１００〜１／５がより好ましい。更に柔軟性能と残香性、及び香料の安定性をいずれも満足させるために、（ｂ）成分／［（ｃ）成分＋（ｄ）成分］の質量比率が０．０３〜１０００が好ましく、０．１〜１００がより好ましく、０．５〜３０が更に好ましい。
【００３１】
柔軟効果が高い（ａ）成分のような柔軟基剤を含有する柔軟剤組成物のｐＨは一般的にはｐＨ２〜５程度に設定されるが、このようなｐＨ中では香料成分は不安定であるとされており、特に強い香りや残香性を目的に香料を高配合率で設計された組成物では、保存中に香りの変化や香りのバランスの崩れが起こり、当初設定した香りと異なったものになってしまう。一方、酸化防止剤を過剰に使用すると、柔軟剤組成物の色相を変える等商品価値の低下を招く。本発明の組成物は、（ｃ）成分の酸化防止剤と（ｄ）成分の香料の質量比率を上記特定範囲に設定し、更に、（ｂ）成分のシリコーン化合物、好ましくは高粘度、高重合度シリコーン化合物を併用することによって、色相の悪化等を起こさずに、低ｐＨでの香料の安定性が向上し、残香性が著しく向上する。更に、アルデヒド系香料は特に低ｐＨでの安定性が悪いので、香料成分にアルデヒド系香料を用いた場合、本発明の効果は、より顕著に発現する。これは、（ｂ）成分のシリコーン化合物と香料が何らかの相互作用を起こすことにより、（ｃ）成分の酸化防止剤による香料の安定化効果が増大し、香料中にあると考えられる色相変化を与える微量成分への酸化防止剤の悪影響が緩和されたものと推定される。
【００３２】
本発明の組成物は、ｐＨを調節する目的で、ｐＨ調整剤として、塩酸、硫酸などの無機酸、クエン酸、乳酸、グリコール酸、ｐ−トルエンスルホン酸などの有機酸、水酸化ナトリウムなどの無機アルカリを配合することができる。
【００３３】
本発明の組成物は、粘度を調整する目的で、無機あるいは有機の電解質を配合する事ができる。無機電解質としては、塩酸、硫酸又はりん酸のアルカリ金属又はアルカリ土類金属の塩が好ましく、塩化ナトリウム、塩化マグネシウム、塩化カリウム、硫酸ナトリウム、硫酸マグネシウムがより好ましい。有機電解質としてはグリコール酸、クエン酸、安息香酸、ｐ−トルエンスルホン酸のアルカリ金属又はアルカリ土類金属の塩が好ましく、グリコール酸ナトリウム、クエン酸ナトリウム、安息香酸ナトリウム、ｐ−トルエンスルホン酸ナトリウムなどがより好ましい。
【００３４】
本発明の組成物は、必要に応じて本発明の効果を妨げない範囲で、溶剤、キレート剤、染料、顔料、抗菌剤、蛍光増白剤、紫外線吸収剤等を含有することができる。
【実施例】
【００３５】
実施例１〜７及び比較例１〜３
下記配合成分を用いて、表２に示す柔軟剤組成物を、下記調製方法に従い調製した。得られた柔軟剤組成物の柔軟性、残香性及び香りの変化を下記の方法で評価した。結果を表２に示す。
【００３６】
＜（ａ）成分＞ 
【００３７】
【化３】
2010037690.tif 000004
【００３８】
上記（ａ−１）〜（ａ−３）の化合物は公知の方法、又は特開平１１−２２９２７３号公報記載の方法により製造した。
【００３９】
＜（ｂ）成分＞
（ｂ−１）：高重合ジメチコンエマルジョン
２５℃における動粘度が５００，０００ｍｍ2／ｓのジメチルポリシロキサン６０質量％、平均エチレンオキサイド（以下ＥＯという）付加モル数５モルのポリオキシエチレンラウリルエーテル１．５質量％、平均ＥＯ付加モル数２３モルのポリオキシエチレンラウリルエーテル４．５質量％、ラウリル硫酸ナトリウム０．１質量％、水  残部のエマルジョン、分散粒子の平均粒子径５００ｎｍ
（ｂ−２）：ジメチコンエマルジョン
２５℃における動粘度が５，０００ｍｍ2／ｓのジメチルポリシロキサン６０質量％、平均ＥＯ付加モル数５モルのポリオキシエチレンラウリルエーテル１．５質量％、平均ＥＯ付加モル数２３モルのポリオキシエチレンラウリルエーテル５．５質量％、ラウリル硫酸ナトリウム０．１質量％、水  残部のエマルジョン、分散粒子の平均粒子径５００ｎｍ
＜（ｃ）成分＞
（ｃ−１）：ＢＨＴ
（ｃ−２）：ＢＨＡ
（ｃ−３）：α−トコフェロール
＜（ｄ）成分＞
（ｄ−１）：表１に示す組成の香料
【００４０】
【表１】
2010037690.tif 000005
【００４１】
＜その他成分＞
（ｅ−１）：平均ＥＯ付加モル数２０モルのポリオキシエチレンラウリルエーテル
（ｆ−１）：塩化カルシウム
（ｇ−１）：塩化ベンザルコニウム
＜柔軟剤組成物の調製方法＞
３００ｍＬビーカーに、柔軟剤組成物の出来あがり質量が２００ｇになるのに必要な量の９５％相当量のイオン交換水と（ｅ−１）、（ｆ−１）、（ｇ−１）を入れ、ウォーターバスで７０℃に昇温した。一つの羽根の長さが２ｃｍの攪拌羽根が３枚ついたタービン型の攪拌羽根で攪拌しながら（３００ｒ／ｍｉｎ）、所要量の（ａ）成分を溶解させた。そのまま５分攪拌後、ｐＨ調整剤として塩酸と４８％水酸化ナトリウム水溶液を用いて目標のｐＨに調整し、出来あがり質量にするのに必要な量の７０℃のイオン交換水を添加した。その後に、該混合物に（ｂ）、（ｃ）及び（ｄ）成分を添加した。その後１０分間攪拌し、５℃の水を入れたウォーターバスにビーカーを移し、攪拌しながら混合物を３０℃に冷却して、柔軟剤組成物を得た。ｐＨは０．１Ｎ塩酸水溶液又は０．１Ｎ水酸化ナトリウム水溶液により調整した。表２の柔軟剤組成物では、（ａ−１）は、ほぼすべて酸塩の状態で柔軟剤組成物中に存在する。
【００４２】
＜評価法＞
１）評価用タオルの調製方法
市販木綿タオル（綿１００％）２ｋｇを全自動洗濯機（ナショナルＮＡ-Ｆ７０Ｅに入れ、市販の弱アルカリ性洗剤（花王（株）製アタックで洗濯後、２回目の濯ぎ時に表２の各柔軟剤組成物を用いて柔軟剤処理を行った（標準コース、洗剤濃度０．００６６７質量％、柔軟剤量１０ｍｌ、水道水４０Ｌ使用、水温２０℃）。その後、タオルを２５℃、４０％ＲＨ条件下で自然乾燥した。
【００４３】
２）柔軟性評価方法
上記処理したタオルの柔軟性を、１０人のパネラー（３０代男性１０人）により下記の基準で判定し、平均点を求めた。
【００４４】
・柔軟性の評価基準
３‥非常に柔らかく仕上がった
２‥柔らかく仕上がった
１‥やや柔らかく仕上がった
０‥柔らかに仕上がらない
柔軟性評価点において、２．２点以上は良い状態であり、２．６点以上は非常に良好である。
【００４５】
３）残香性評価方法
上記処理したタオルの乾燥後の残香性を、１０人のパネラー（３０代男性１０人）により下記の基準で判定し、平均点を求めた。
・残香性の評価基準
３‥残香がある
２‥やや残香がある
１‥僅かに残香がある
０‥残香がない
残香性評価点において、２．２点以上は良い状態であり、２．６点以上は非常に良好である。
【００４６】
４）香りの変化の評価法
上記調製法にて各成分を配合した柔軟剤組成物を常温にて５０日間保存後、香りの変化を１０人のパネラー（３０代男性１０人）により下記の基準で判定し、平均点を求めた。
・香りの変化評価基準
３‥配合直後と香りが同等
２‥配合直後と比較して若干香りの変化はあるが許容範囲内
１‥配合直後と比較して香りが変化している
０‥配合直後と比較して香りが著しく変化している
香りの変化評価において、２．２点以上は良い状態であり、２．６点以上は非常に良好である。
【００４７】
【表２】
2010037690.tif 000006